【手続補正書】
【提出日】令和2年12月25日(2020.12.25)
【手続補正１】
【補正対象書類名】特許請求の範囲
【補正対象項目名】全文
【補正方法】変更
【補正の内容】
【特許請求の範囲】
【請求項１】
車両外部から受信した更新データ全体を記憶する第１装置（１２）と、前記第１装置から更新データを取得する第２装置（１３）と、前記第２装置から更新データを受信し、その受信した更新データを不揮発性メモリに書込む第３装置（１９）と、を備える車両用電子制御システム（１）において、
前記第２装置は、
前記第３装置に書込まれる更新データを含むファイルを転送対象ファイルとして特定する転送対象ファイル特定部（８２ａ）と、
前記転送対象ファイル特定部により特定された転送対象ファイルを取得するための第１データサイズを特定する第１データサイズ特定部（８２ｂ）と、
前記第１装置から転送された更新データの分割ファイルを用い、更新データを前記第３装置に配信する更新データ配信部（７３）と、を備え、
前記第１装置は、
前記転送対象ファイル特定部により特定された転送対象ファイルを前記第１データサイズ特定部により特定された第１データサイズにしたがって分割し、その分割ファイルを第２装置に転送することで、更新データを転送する更新データ転送部（６４）を備える車両用電子制御システム。
【請求項２】
前記第２装置は、
前記転送対象ファイル特定部により特定された転送対象ファイルを取得するための取得情報を特定する取得情報特定部（８２ｃ）を備え、
前記更新データ転送部は、前記転送対象ファイル特定部により特定された転送対象ファイルを前記第１データサイズ特定部により特定された第１データサイズ及び前記取得情報特定部により特定された取得情報にしたがって分割し、その分割ファイルを第２装置に転送することで、更新データを転送する請求項１に記載した車両用電子制御システム。
【請求項３】
外部から書換え諸元データを取得する書換え諸元データ取得部（７４）と、
前記書換え諸元データ取得部により取得された書換え諸元データを解析する書換え諸元データ解析部（７５）と、を備え、
前記転送対象ファイル特定部は、書換え諸元データの解析結果を用いて第３装置に書込まれる更新データを含むファイルを転送対象ファイルとして特定する請求項１又は２に記載した車両用電子制御システム。
【請求項４】
前記第２装置は、
更新データを配信するための第２データサイズを特定する第２データサイズ特定部（８２ｄ）を備え、
前記更新データ配信部は、前記第１装置から転送された更新データの分割ファイルを前記第２データサイズ特定部により特定された第２データサイズにしたがって第３装置に配信し、更新データを第３装置に配信する請求項１から３の何れか一項に記載した車両用電子制御システム。
【請求項５】
前記第２装置は、
前記第１データサイズ特定部により特定された第１データサイズを前記第１装置に指定し、分割ファイルの転送を前記第１装置に要求する分割ファイル転送要求部（８２ｅ）を備え、
前記更新データ転送部は、分割ファイルの転送が分割ファイル転送要求部から要求された場合に、前記転送対象ファイル特定部により特定された転送対象ファイルを前記第１データサイズ特定部により特定された第１データサイズにしたがって分割し、その分割ファイルを第２装置に転送することで、更新データを転送する請求項１から４の何れか一項に記載した車両用電子制御システム。
【請求項６】
前記第３装置は、前記第２装置から更新データの受信を完了したタイミングで受信完了通知を前記第２装置に送信し、
前記分割ファイル転送要求部は、第３装置から受信完了通知を受信した場合に、分割ファイルの転送を前記第１装置に要求する請求項５に記載した車両用電子制御システム。
【請求項７】
前記第３装置は、前記第２装置から更新データの不揮発性メモリへの書込みを完了したタイミングで書込み完了通知を前記第２装置に送信し、
前記分割ファイル転送要求部は、第３装置から書込み完了通知を受信した場合に、分割ファイルの転送を前記第１装置に要求する請求項５に記載した車両用電子制御システム。
【請求項８】
車両外部から受信した更新データ全体を記憶する第１装置（１２）と、前記第１装置から更新データを取得する第２装置（１３）と、前記第２装置から更新データを受信し、その受信した更新データを不揮発性メモリに書込む第３装置（１９）と、を備える車両用電子制御システム（１）において、
前記第３装置に書込まれる更新データを含むファイルを前記第２装置において転送対象ファイルとして特定する転送対象ファイル特定手順と、
前記転送対象ファイル特定手順により特定した転送対象ファイルを取得するための第１データサイズを前記第２装置において特定する第１データサイズ特定手順と、
前記第１装置から転送された更新データの分割ファイルを用い、更新データを前記第２装置において前記第３装置に配信する更新データ配信手順と、
前記転送対象ファイル特定手順により特定した転送対象ファイルを前記第１データサイズ特定手順により特定した第１データサイズにしたがって分割し、その分割ファイルを第２装置に転送することで、更新データを前記第１装置において転送する更新データ転送手順と、を行うファイルの転送制御方法。
【請求項９】
車両外部から受信した更新データ全体を記憶する第１装置（１２）と、前記第１装置から更新データを取得する第２装置（１３）と、前記第２装置から更新データを受信し、その受信した更新データを不揮発性メモリに書込む第３装置（１９）と、を備える車両用電子制御システム（１）に、
前記第３装置に書込まれる更新データを含むファイルを転送対象ファイルとして特定する転送対象ファイル特定手順と、
前記転送対象ファイル特定手順により特定した転送対象ファイルを取得するための第１データサイズを特定する第１データサイズ特定手順と、
前記第１装置から転送された更新データの分割ファイルを用い、更新データを前記第３装置に配信する更新データ配信手順と、
前記転送対象ファイル特定手順により特定した転送対象ファイルを前記第１データサイズ特定手順により特定した第１データサイズにしたがって分割し、その分割ファイルを第２装置に転送することで、更新データを転送する更新データ転送手順と、を実行させるファイルの転送制御プログラム。
【請求項１０】
車両外部から送信された更新データ全体を書換え対象の電子制御装置に配信する更新データ配信部を備えるコンピュータに用いられ、
書換え対象の電子制御装置を識別する装置識別情報と、前記装置識別情報に対応する更新データを特定する情報と、前記装置識別情報に対応する電子制御装置へのデータ配信サイズと、を含む、プログラム更新のための諸元データのデータ構造であって、
前記装置識別情報に対応するデータ配信サイズは、前記装置識別情報に対応する更新データを他の電子制御装置から取得し、前記装置識別情報に対応する電子制御装置へ配信する際のデータサイズとして用いられる、プログラム更新のための諸元データのデータ構造。
【手続補正２】
【補正対象書類名】明細書
【補正対象項目名】０００７
【補正方法】変更
【補正の内容】
【０００７】
請求項１に記載した車両用電子制御システム（１）によれば、第１装置（１２）は、車両外部から受信した更新データ全体を記憶する。第２装置（１３）は、第１装置から更新データを取得する。第３装置（１９）は、第２装置から更新データを受信すると、その受信した更新データを不揮発性メモリに書込む。第２装置において、転送対象ファイル特定部（８２ａ）は、第３装置に書込まれる更新データを含むファイルを転送対象ファイルとして特定する。第１データサイズ特定部（８２ｂ）は、転送対象ファイルが転送対象ファイル特定部により特定されると、その特定された転送対象ファイルを取得するための第１データサイズを特定する。更新データ配信部（７３）は、第１装置から転送された更新データの分割ファイルを用い、更新データを第３装置に配信する。第１装置において、更新データ転送部（６４）は、転送対象ファイル特定部により特定された転送対象ファイルを第１データサイズ特定部により特定された第１データサイズにしたがって分割し、その分割ファイルを第２装置に転送することで、更新データを転送する。
【手続補正３】
【補正対象書類名】明細書
【補正対象項目名】０００８
【補正方法】変更
【補正の内容】
【０００８】
第２装置において、第３装置に書込まれる更新データを含むファイルを転送対象ファイルとして特定し、その特定した転送対象ファイルを取得するための第１データサイズを特定し、第１装置から転送された更新データの分割ファイルを用い、更新データを第３装置に配信するようにした。第１装置において、第２装置により特定された転送対象ファイルを第１データサイズにしたがって分割し、その分割ファイルを第２装置に転送するようにした。第１装置から第２装置への更新データの転送と、第２装置から第３装置への更新データの配信を効率的に行うことができる。